(57)【要約】【課題】  厨房家具を製造するときの簡単な作業で、水槽における制音機能と結露防止機能とを効果的に発揮することができ、また、制音用の構造部品が外部から見えずに外観上の見栄えのよい厨房家具を提供する。【解決手段】  システムキッチンのカウンター部２は、シンクカバー部３２でシンク３の少なくとも底部外面２１を覆って二重構造をなし、シンクとシンクカバー部との間の間隙スペースＳに、制音機能を有する制音用発泡材１１を充填している。【選択図】    図３
2006187358.tif 000002
【特許請求の範囲】
【請求項１】
カウンター部に水槽が設けられた厨房家具であって、
前記カウンター部は、水槽カバー部で前記水槽の少なくとも底部外面を覆って二重構造をなし、前記水槽と前記水槽カバー部との間の間隙スペースに制音機能を有する制音用発泡材を充填したことを特徴とする厨房家具。
【請求項２】
請求項１に記載の厨房家具であって、前記水槽カバー部は前記水槽の前記底部外面を含む外面全体を覆っており、前記制音用発泡材が充填される前記間隙スペースは、前記水槽全体と前記水槽カバー部との間に形成されていることを特徴とする厨房家具。
【請求項３】
請求項１または２に記載の厨房家具であって、前記水槽の前記底部と前記水槽カバー部との間には、前記間隙スペースを外部に対して塞ぐための仕切り部材を装着し、この仕切り部材の注入口から前記制音用発泡材を前記間隙スペースに注入可能にしたことを特徴とする厨房家具。
【請求項４】
請求項１，２または３に記載の厨房家具であって、前記水槽の少なくとも前記底部外面には制音機能を有する制音用シートを直接固着したことを特徴とする厨房家具。
【請求項５】
請求項１ないし４のいずれかの項に記載の厨房家具であって、
前記カウンター部は、前記水槽と、この水槽が一体的に設けられた上部カウンターと、前記水槽の少なくとも前記底部外面側の前記間隙スペースに充填された前記制音用発泡材と、前記上部カウンターの下面および前記水槽の外面をそれぞれ覆うように所定形状に形成され、前記水槽カバー部の機能を兼ねる下部カウンターとを有して、前記カウンター部の一部または全体が二重構造をなしていることを特徴とする厨房家具。
【請求項６】
請求項５に記載の厨房家具であって、前記上部カウンターはステンレス製の板材により全体が一体的に形成され、前記下部カウンターは金属製または樹脂製の板材により全体が一体的に形成されていることを特徴とする厨房家具。
【請求項７】
請求項１ないし６のいずれかの項に記載の厨房家具であって、前記カウンター部はキャビネットとは分離独立してその上部に配置され、前記カウンター部の下面は外部に対して露出していることを特徴とする厨房家具。
【発明の詳細な説明】
【技術分野】
【０００１】
本発明は、台所に設置されるシステムキッチンなど厨房家具にかかり、特に、この厨房家具における静音化と結露防止のための構造に関する。
【背景技術】
【０００２】
本出願人は、本発明の関連技術として、特許文献１（特開平１１−１３７３４９号公報）に記載の複合調理家具を提案している。複合調理家具は、たとえばシステムキッチンであり厨房家具の一つである。
この複合調理家具は、機能的であれば十分であるという近年のニーズに応えて、厨房家具として実用上最小限に簡易な構造を有している。そして、この複合調理家具は、カウンターとベースキャビネットとの結びつきをフリーにしてしかも構造部材を少なくし、これら構造部材を容易にジョイント可能にできる構造を有している。
これにより、保管，輸送，施工，配管を簡単にし、さらには、複合調理家具の基本機能のみを構造的に実現することによって、使い方を制約せずユーザーのニーズに合わせた組み合わせの製品を提供可能にしている。
【０００３】
ところで、近年はダイニングやリビングに向けて開放したレイアウトのキッチン（厨房家具）が次第に普及している。そのため、このキッチンで調理，後片付けなどを行うとき、蛇口から吐出する水がシンク（水槽）に強く当たったり、熱湯でシンクの底部が急激に熱変形を起こすと、衝撃音を発生していた。
このレイアウトのキッチンでは、この衝撃音がダイニングやリビングに直接伝わりやすいので、調理や後片づけを行っている長い時間のあいだ、この衝撃音が会話やテレビの観賞を妨げる要因となっていた。
そこで、衝撃音を低減する技術としてたとえば特許文献２（実公平７−２８２１５号公報）には、キッチンなどの水槽の外面に防振用弾性シートを接着し、この防振用弾性シートの上から水槽の外面に結露防止カバーを取付け、防振用弾性シートの全周を含む全体を結露防止カバーで覆う技術が記載されている。
【０００４】
【特許文献１】特開平１１−１３７３４９号公報
【特許文献２】実公平７−２８２１５号公報
【発明の開示】
【発明が解決しようとする課題】
【０００５】
特許文献２に記載された技術は、防振用弾性シートの全周を含む全体を結露防止カバーで覆っているので、水槽の底面部では結露防止カバーの厚みが薄くなりがちであり、特に防振用弾性シートの周縁部で結露防止カバーが破損しやすくその保持強度も低下する傾向があった。
結露防止カバーは全体が一体的に成形されている。そのため、この結露防止カバーを防振用弾性シートの上から水槽本体に填め込む際、結露防止カバーの開口側を無理矢理拡げると破損する恐れがあり、結露防止カバーの取付け作業が困難であった。
取付け後の結露防止カバーに厚みの薄い場所があると、キッチンなどの輸送や施工中に、結露防止カバーが破損する恐れがあった。さらに、結露防止カバーの発泡面が露出しているので、意匠性に劣るという課題もあった。
また、防振用弾性シートと結露防止カバーはシンクの外面全体を覆ってはいないので、制音機能と結露防止機能とが十分に発揮されない恐れがあった。
【０００６】
一方、特許文献１に記載の複合調理家具は、カウンターの下面とシンク（水槽）の下面が露出している。したがって、シンクの下面では結露防止カバーが露出し、カウンターの下面ではステンレス板の裏面が露出している。
そこで、ダイニングやリビングなどからこの複合調理家具を見た場合の見栄えの向上が望まれていた。
【０００７】
本発明は、このような課題を解決するためになされたもので、厨房家具を製造するときの簡単な作業で、水槽における制音機能と結露防止機能とを効果的に発揮することができ、また、制音用の構成部品などが外部から見えずに外観上の見栄えのよい厨房家具を提供することを目的とする。
【課題を解決するための手段】
【０００８】
上述の目的を達成するため、本発明にかかる厨房家具は、カウンター部に水槽が設けられた厨房家具であって、前記カウンター部は、水槽カバー部で前記水槽の少なくとも底部外面を覆って二重構造をなし、前記水槽と前記水槽カバー部との間の間隙スペースに制音機能を有する制音用発泡材を充填した。
前記水槽カバー部は前記水槽の前記底部外面を含む外面全体を覆っており、前記制音用発泡材が充填される前記間隙スペースは、前記水槽全体と前記水槽カバー部との間に形成されているのが好ましい。
好ましい実施態様として、前記水槽の前記底部と前記水槽カバー部との間には、前記間隙スペースを外部に対して塞ぐための仕切り部材を装着し、この仕切り部材の注入口から前記制音用発泡材を前記間隙スペースに注入可能にしている。
前記水槽の少なくとも前記底部外面には制音機能を有する制音用シートを直接固着するのが好ましい。
前記カウンター部は、前記水槽と、この水槽が一体的に設けられた上部カウンターと、前記水槽の少なくとも前記底部外面側の前記間隙スペースに充填された前記制音用発泡材と、前記上部カウンターの下面および前記水槽の外面をそれぞれ覆うように所定形状に形成され、前記水槽カバー部の機能を兼ねる下部カウンターとを有して、前記カウンター部の一部または全体が二重構造をなしているのが好ましい。
前記上部カウンターはステンレス製の板材により全体が一体的に形成され、前記下部カウンターは金属製または樹脂製の板材により全体が一体的に形成されているのが好ましい。
厨房家具の一実施態様として、前記カウンター部はキャビネットとは分離独立してその上部に配置され、前記カウンター部の下面は外部に対して露出している。
【発明の効果】
【０００９】
本発明の厨房家具は、上述のように構成したので、厨房家具を製造するときの簡単な作行で、水槽における制音機能と結露防止機能とを効果的に発揮することができ、また、制音用の構成部品などが外部から見えないので外観上の見栄えがよい。
【発明を実施するための最良の形態】
【００１０】
下記の実施例における厨房家具のカウンター部は、水槽カバー部で水槽の少なくとも底部外面を覆って二重構造をなし、水槽の外面と水槽カバー部との間の間隙スペースに、制音機能を有する制音用発泡材を充填している。
これにより、制音用発泡材を間隙スペースに注入して充填する作業を行えば、充填された制音用発泡材が制音機能を発揮するので、製造時の組立て作業が簡単であり、また、間隙スペースに充填された制音用発泡材が制音機能と結露防止機能を効果的に発揮し、しかも、この制音用発泡材は水槽カバー部で覆われているので外部から見えることがなく外観上の見栄えがよいという目的を実現している。
【００１１】
本発明における厨房家具としては、台所に設置されるキッチン（たとえば、複合厨房家具の一種であるシステムキッチン）が通常の場合であるが、洗面化粧台であってもよい。下記の実施例では、カウンター部に水槽としてのシンクが設けられたシステムキッチンの場合を示しているが、洗面化粧台の場合には、カウンター部に水槽としての洗面ボールが設けられている。
【実施例】
【００１２】
以下、本発明にかかる実施例を図１ないし図８を参照して説明する。
図１，図２は、それぞれ本発明が適用されたシステムキッチンの斜視図，正面図である。図１，図２に示すように、厨房家具としてのシステムキッチン１は、水槽としてのシンク３が所定位置に設けられたカウンター部２を備えており、本発明をこのシステムキッチン１に適用した場合を示している。
図示するシステムキッチン１は、いわゆる島形（アイランド形）のキッチンで、台所の壁面から離れた位置に設置されるタイプのものであるが、変形例として、いわゆる半島型のキッチンや、壁面にそって設置されるタイプのキッチンであってもよい。
なお、説明の便宜上、図１中の符号Ｄ1，Ｄ2，Ｄ3，Ｄ4を、それぞれシステムキッチン１の左方，右方，前方，後方として説明する。
【００１３】
システムキッチン１のカウンター部２は、ユーザーが調理などの作業を行うのに都合の良い高さ位置に水平方向に配置され、平面視で所定形状（ここでは、矩形状）をなす天板である。
カウンター部２の上面は調理台（ワークトップ２８）になっており、カウンター部２には必要に応じて、シンク３に加えてコンロユニットやボールなどが設けられる場合もある。
カウンター部２の下方にはキャビネット４が配置されている。キャビネット４は、フレーム６に支持されて床面５に設置され、全体が矩形状をなしている。フレーム６は、床面５上に設置される複数の脚部７を有している。カウンター部２とキャビネット４は、縦方向に設けられた複数の支柱８により連結されている。
キャビネット４の内部には調理用具，食材などを収納可能で、キャビネット４には食器洗い乾燥機９も取付けられ、システムキッチン１は、全体として複合厨房家具を構成している。
【００１４】
カウンター部２は、キャビネット４とは分離独立してその上部に配置され、カウンター部２の下面は外部に対して露出しているので、システムキッチン１における開放感が演出されている。
また、カウンター部２とキャビネット４を分離し、キャビネット４をフレーム６で支持しているので、システムキッチン１を含めた空間の広がりを損なうことなく、しかも足下まわりの空間をすっきりと見せることができ、且つ湿気の籠もりやすい台所の雰囲気に対してシステムキッチン１の周囲の風通しを良くして清潔に保つことができる。
【００１５】
なお、システムキッチン１は、カウンター部２がキャビネット４に対して分離独立している場合を示したが、変形例として、カウンター部２がキャビネットと分離せずにキャビネットの上部を構成するいわゆるキャビネット形キッチン（または、キャビネット形システムキッチン）であってもよい。この場合には支柱８が不要になる。
また、システムキッチン１は、キャビネット４を備えている場合を示したが、キャビネット４がなくて、カウンター部２が、縦方向に長い複数の脚部などにより支持されている場合であってもよい。
【００１６】
シンク３では衝撃音が発生する場合があるが、この発生する衝撃音の例としては、たとえば、蛇口から水をシンク３に吐出したときの音や、食器など硬いものをシンク３に落下させたときの音や、シンク３にいきなり熱湯を流したり熱湯と冷水を交互に流すことによりシンク３が熱変形するときに発生する音などがある。
【００１７】
次に、本発明にかかるカウンター部２の構成について説明する。
図３ないし図８は、本発明の実施例にかかるカウンター部２を示す図である。図３（Ａ）〜（Ｃ）は、一実施例にかかるカウンター部２におけるシンク３まわりの断面図で、カウンター部２の組立て手順を示している。
図４は、カウンター部２を引っ繰り返した状態の分解斜視図である。図５は、カウンター部２に設けられる仕切り部材としてのアダプタ１０の斜視図、図６は、図５に示すアダプタ１０を引っ繰り返した状態の斜視図である。
図７（Ａ）〜（Ｃ）は、前記実施例の変形例にかかるカウンター部２におけるシンク３まわりの断面図で、カウンター部２の組立手順を示しており図３相当図である。図８は、前記実施例の他の変形例を示す図で、カウンター部２を引っ繰り返した状態の分解斜視図で図４相当図である。
【００１８】
図１ないし図８に示すように、カウンター部２は、水槽カバー部としてのシンクカバー部３２で、シンク３の少なくとも底部外面２１を覆って二重構造をなしている。そして、シンク３とシンクカバー部３２との間の間隙スペースＳに、制音機能を有する制音用発泡材１１を注入し（図３（Ｂ），図７（Ｂ））、これにより、制音用発泡材１１を間隙スペースＳに充填している（図３（Ｃ），図７（Ｃ））。
こうすれば、システムキッチン１を製造するときの簡単な作業（アダプタ１０の取付け作業や制音用発泡材１１の注入作業など）で、シンク３における制音機能と結露防止機能とを効果的に発揮することができる。また、制音用の構成部材（ここでは、制音用発泡材１１）が、シンクカバー部３２で覆われているので外部から見えずに外観上の見栄えがよい。
【００１９】
カウンター部２は、シンク３と、シンク３が一体的に設けられた上部カウンター２０と、シンク３の少なくとも底部外面２１側の間隙スペースＳに充填された制音用発泡材１１と、上部カウンター２０の下面およびシンク３の外面２４をそれぞれ覆うように所定形状に形成され、シンクカバー部３２の機能を兼ねる下部カウンター２５とを有している。
その結果、カウンター部２の一部または全体が二重構造をなしている。シンク３の底部外面２１は、シンク３の外面２４に含まれてその一部を構成している。
【００２０】
本実施例では、シンク３とその近傍において、上部カウンター２０と下部カウンター２５が二重構造を構成している場合を示している。また、上部カウンター２０は、下部カウンター２５が取付けられていないワークトップ２８の部位においても、二重構造をなすように形成されている。
上部カウンター２０は、その上面側（すなわち、ワークトップ２８やシンク３の内面）および縁部３０の外面が露出するので、これらの露出面が金属光沢を有する仕上げ面になっている。上部カウンター２０の下面２０ａは、露出しないので仕上げ加工はされていない。
【００２１】
上部カウンター２０において、下部カウンター２５を取付けない部位は、二重構造をなして平面視で矩形状に形成されている。上部カウンター２０と下部カウンター２５との間、および下部カウンター２５が取付けられていないワークトップ２８の部位での上部カウンター２０の内部には、木製または樹脂製の補強用の芯材２６が配置されている。芯材２６は、ビスのみまたはビスと接着剤との併用により取付けられている。
補強機能を有する芯材２６を設けることによりカウンター部２の剛性を向上させて、カウンター部２自体の変形やこの変形時における音の発生などを防止している。
上部カウンター２０と下部カウンター２５との間に配置された芯材２６や、ワークトップ２８の部位での上部カウンター２０内に配置された芯材２６や、間隙スペースＳに充填された制音用発泡材１１などが、カウンター部２の内部に設けられた構造部品を構成している。
【００２２】
カウンター部２はその全体が二重構造をなしており、上部カウンター２０の非仕上げ面である下面（裏面）２０ａや、上部カウンター２０の下面２０ａ側とシンク３の外面２４側とに設けられた構造部品（たとえば、芯材２６，制音用発泡材１１）は、カウンター部２の内部に収納され、外部に対して露出していない。
【００２３】
制音用発泡材１１としては、たとえば、ポリウレタン，ポリスチレン（ＰＳ），ポリエチレン（ＰＥ）等の発泡樹脂が使用される。これら制音用発泡材１１は、制音機能に加えて結露防止機能も有している。
制音用発泡材１１は、シンク３の少なくとも底部外面２１（本実施例では、シンク３の外面２４の全体）の部位の間隙スペースＳに充填されている。したがって、制音用発泡材１１は、シンク３における制音機能と結露防止機能とを発揮するので、カウンター部２は、従来必要であった結露防止カバーが不要で構成が簡素になる。
【００２４】
上部カウンター２０は、ステンレス（本実施例では、ＳＵＳ３０４）製の板材により全体が一体的に形成され、下部カウンター２５は、ステンレスなど金属（本実施例では、ＳＵＳ３０４）製または樹脂製の板材により全体が一体的に形成されている。
上部カウンター２０は、シンク３を含む全体を同時に成形してもよいが、本実施例では、平面状のワークトップ２８の所定位置に切欠部２９を形成し、別体のシンク３を切欠部２９に嵌め込んで溶接により一体化している。
上部カウンター２０において、シンク３のまわりのコ字状の周縁には、９０度下方に曲げられ且つその下端部がさらに水平方向内方側に９０度曲げられた縁部３０が、一体的に折曲形成されている。
こうして、上部カウンター２０は、調理などの作業を行うための平面状のワークトップ２８と、所定位置に一体的に固定されたシンク３と、外周の縁部３０とを有している。
【００２５】
上部カウンター２０において、シンク３の周囲には矩形状の下面側切欠部２９ａが形成されており、この下面側切欠部２９ａに下部カウンター２５が装着され、下部カウンター２５と上部カウンター２０が溶接により一体化されている。
下部カウンター２５は、上部カウンター２０の下面側切欠部２９ａの形状に対応して平面視で矩形状に形成された平面部３１と、シンク３の形状に対応してほぼ相似形に形成され、シンク３の外面２４のほぼ全体を覆うことが可能なシンクカバー部３２とを有している。
下部カウンター２５の下面側が外方に露出するので、この下面は仕上げ加工がされた仕上げ面になっている。
【００２６】
シンク３は、凹部３５が形成されて凹部３５側が低くなるように全体的に若干傾斜しているほぼ平板状の底部３７と、底部３７の外周縁全周から上方に一体的に立ち上がった側部３８と、側部３８の上端外周縁全周から水平方向外方に一体的に延びたフランジ部３９とを有している。このフランジ部３９で、ワークトップ２８に一体的に接続固定されている。
シンク３には、排水管が取付けられる排出口３３が形成されている。シンクカバー部３２には、排水管を貫通させるための開口部３４が、排出口３３に対応してその下方に形成されている。シンク３の所定位置には凹部３５が一体的に形成されており、この凹部３５のほぼ中央部に排出口３３が貫通形成されている。
【００２７】
シンクカバー部３２は、シンク３の底部外面２１を含む外面２４全体を覆っており、制音用発泡材１１が充填される間隙スペースＳは、シンク３全体とシンクカバー部３２との間に形成されている。
したがって、シンク３は、その底部３７と側部３８の全体が制音用発泡材１１で覆われていることになる。その結果、制音用発泡材１１は、シンク３の底部３７，側部３８などを含めたシンク全体に対して制音機能と結露防止機能とを効果的に発揮することができる。
シンクカバー部３２がシンク３の外面２４のほぼ全体を覆っており、シンク３とシンクカバー部３２との間に間隙スペースＳがあるので、この間隙スペースＳ自体も結露防止機能を発揮している。
なお、本実施例の変形例として、シンクカバー部が、シンク３の底部外面２１のみを覆って二重構造をなし、この底部外面２１の部位のみに形成された間隙スペースに制音用発泡材１１を充填するようにしてもよい。
【００２８】
シンク３の底部３７と、シンクカバー部３２との間には、外部に対して間隙スペースＳを塞ぐための仕切り部材としてのアダプタ１０が装着される。制音用発泡材１１は、アダプタ１０の注入口１２から間隙スペースＳに注入可能である。これにより、カウンター部２の製造時の簡単な組立て作業と注入作業で、制音用発泡材１１を間隙スペースＳに充填することができる。
アダプタ１０は、シンク３の底部３７とシンクカバー部３２の両方に係合して外部に対して間隙スペースＳを塞ぐ仕切部１３と、この仕切部１３に一体的に形成された係合部１４とを有して、全体が円環状に一体形成されている。
仕切部１３は、注入口を有して傘状（たとえば、部分円錐状）に形成されている。仕切部１３の円形の上端縁１３ａは、シンク３の底部外面２１に形成され凹部３５の裏側に位置する円形の溝部３５ａに密着する。仕切部１３の円形の下端縁１３ｂは、シンクカバー部３２の内面に接触している。注入口１２は、キャップ１２ａを装着することにより塞ぐことができる。
係合部１４は円筒形をなしており、シンクカバー部３２に形成された円筒形の開口部３４に係合可能である。
【００２９】
カウンター部２を製造するには、図３（Ａ）に示すように、アダプタ１０を、上部カウンター２０のシンク３と、下部カウンター２５のシンクカバー部３２との間に配置する。次いで、図３（Ｂ）に示すように、上部カウンター２０と下部カウンター２５との間に、芯材２６などの構造部品を配置した後、下部カウンター２５を、その全周に位置する接合部で溶接（または、ビスなど締結部材）により上部カウンター２０に固定して一体化する。
これにより、アダプタ１０は、シンク３とシンクカバー部３２との間に位置決め保持される。このとき、アダプタ１０の係合部１４は、シンクカバー部３２の開口部３４に係合している。仕切部１３は、シンク３とシンクカバー３２との間の間隙スペースＳの中心軸ＣＬ側を、外部に対して仕切っている。
間隙スペースＳにおいて、中心軸ＣＬから遠い方側は、芯材２６またはその他の仕切部材（図示せず）により仕切られている。その結果、間隙スペースＳは閉じられた空間になっている。
【００３０】
次いで、矢印Ｂに示すように、加熱されて溶融状態の制音用発泡材１１を、アダプタ１０の注入口１２から間隙スペースＳに注入する。間隙スペースＳは閉じられた空間なので、図３（Ｃ）に示すように、やがて、間隙スペースＳの内部全体が制音用発泡材１１で満たされる。
こうして、制音用発泡材１１の注入が完了した後、キャップ１２ａでアダプタ１０の注入口１２を塞げば、注入済みの制音用発泡材１１が、注入口１２から外部に漏れ出る恐れはない。こうして、制音用発泡材１１は間隙スペースＳを満たして充填される。
【００３１】
図３（Ａ）〜（Ｃ）に示すように、制音用発泡材１１を充填するために行う作業としては、アダプタ１０を装着する作業と、制音用発泡材１１を注入口１２から間隙スペースＳに注入する作業と、キャップ１２ａを取付ける作業とを行えばよいので、短時間の簡単な作業ですむ。間隙スペースＳ内に充填された制音用発泡材１１は、カウンター部２の外部からは全く見えない。
制音用発泡材１１は注入時には流動性を有しているので、シンク３やシンクカバー部３２の各形状や間隙スペースＳの形状に制約を受けることなく、制音用発泡材１１を間隙スペースＳにすき間なく容易に注入して充填することができる。
このようにして、制音用発泡材１１が充填され二重構造をなすカウンター部２が組立てられる。このカウンター部２は、複数の支柱８を介してキャビネット４の上部に位置決め固定される。
【００３２】
本実施例のカウンター部２は、上部カウンター２０と下部カウンター２５の素材を共にステンレス製にしたので、耐食性も良好で且つ十分な剛性を発揮する。また、上部カウンター２０と下部カウンター２５の両者を、同種金属であるステンレス（ＳＵＳ３０４）製にしたので、異種金属の電食による錆の発生を防止することができる。
なお、下部カウンター２５には、鉄板またはその他合金製の板材を使用することもできるが、樹脂製の板材を使用すれば、シンクカバー部３２を含めて全体を一度に一体成形することができ、下部カウンター２５の製造とカウンター部２の組立作業が容易になる。
【００３３】
上部カウンター２０の下面およびシンク３の外面２４は下部カウンター２５により覆われており、上部カウンター２０と下部カウンター２５の外面（露出面）は仕上げ加工されている。
したがって、カウンター部２を上下左右前後のどの方向から見ても常に綺麗な仕上げ面が見え、且つカウンター部２の内部に収納された芯材２６や制音用発泡材１１などの構造部品は外部から見えないので、外観上好ましい。
また、本実施例では、制音用シート等の制音部材を予め所定形状に形成して準備する必要はない。
【００３４】
図７，図８は、前記実施例の変形例と他の変形例をそれぞれ示しており、前記実施例と同一または相当部分には同一符号を付してその説明を省略し、異なる部分のみ説明する。
図７に示す変形例では、間隙スペースＳに制音用発泡材１１を充填するとともに、シンク３の少なくとも底部外面２１には、制音機能を有する制音用シート２２を直接固着している。制音用シート２２は、ゴムのみまたはゴムと金属により構成されて、シンク３の底部外面２１に接着剤で固着されている。
このようにすれば、制音用発泡材１１と制音用シート２２が両方とも、制音機能と結露防止機能を発揮するので、より効果的な静音化と結露の防止が可能になる。
【００３５】
制音用シート２２をシンク３の底部外面２１のみに固着した場合を示したが、制音用シート２２を、シンク３の底部３７と側部３８を含む外面２４全体に直接固着すれば、制音用シート２２がより効果的に制音機能と結露防止機能を発揮する。
制音用シート２２は、凹部３５を避けてシンク３の底部外面２１に貼り付けるために、複数枚（たとえば、三枚）に分割した状態で使用されている。なお、一枚物で貼り付け可能であれば、制音用シート２２を全体的に一枚物で一体成形した場合であってもよい。
【００３６】
この変形例で使用する制音用シート２２は、シンク３の底部外面２１に固着するための弾性層と、弾性層の外面側の拘束層とを貼り合わせた複数層構造（たとえば、二層構造）をなしている。
弾性層は、シンク３が衝撃などで振動すると、シンク３と一緒に変形動作してシンク３の振動を低減させる制振機能を発揮する。拘束層は、弾性層が振動で変形する動作を拘束する機能を有している。
弾性層自体は、粘着弾性層の上面と下面にそれぞれ粘着層を貼り付けた三層構造で且つ厚みが約６mmの板材であり、その素材は、硬質または軟質のゴム（好ましくは、ブチルゴム），合成樹脂，無機充填材および軟化材などの混合物からなっている。
拘束層は、ステンレス（たとえば、ＳＵＳ３０４）製で厚みが約０.１mmの金属板である。なお、拘束層は、他の金属製（たとえば、アルミニウム製）または樹脂製の板材であってもよい。
弾性層を構成するゴムなどの制音材料は、内部ロスが大変大きい材料であり、振動伝達部位に直接貼り付けることにより、振動エネルギーを熱エネルギーに変換し、共振時の振動やこれに伴い発生する固体伝播音を低減することができる。
【００３７】
この制音用シート２２は、拘束層を設けて弾性層の変形動作を拘束することにより、「ずり変形」を生ぜしめエネルギー吸収を行うことで、振動さらには固体伝播音の低減を図っており、衝撃音などを効果的に低減している。
なお、制音用シートとしては、弾性層のみからなり拘束層を有しない非拘束タイプのものを使用してもよいが、拘束層を有する拘束タイプの制音用シート２２を使用すれば、非拘束タイプのものと比べて、制音用シート２２全体の厚みを薄くして軽量化できるので、接着部の負担が軽減される。
【００３８】
図８に示す他の変形例にかかるカウンター部２は、シンク３と、このシンク３が一体的に設けられた上部カウンター２０と、シンク３の少なくとも底部外面２１側の間隙スペースＳに充填された制音用発泡材１１と、上部カウンター２０の下面およびシンク３の外面２４をそれぞれ覆うように所定形状に形成されシンクカバー部３２の機能を兼ねる下部カウンター２５とを有して、カウンター部２の全体が二重構造をなしている。
図８に示す変形例では、シンク３とシンクカバー部３２との間の間隙スペースＳに、制音用発泡材１１を充填している。これにより、前記実施例および変形例と同じ作用効果を奏する。また、下部カウンター２５の平面視の全体形状が上部カウンター２０の平面視の全体形状とほぼ同じなので、芯材２６などの取付けが容易になる。
なお、間隙スペースＳに制音用発泡材１１を充填することに加えて、図７に示すように、制音用シート２２をシンク３の少なくとも底部外面２１に直接固着してもよい。こうすれば、制音用発泡材１１と制音用シート２２の両者が、制音機能と結露防止機能をより効果的に発揮する。
【００３９】
図１ないし図８に示す実施例（各変形例を含む。以下同じ）では、間隙スペースＳに充填された制音用発泡材１１（または、制音用発泡材１１と制音用シート２２の両者）が制音機能を発揮するので、システムキッチン１を静音化できる。
シンクカバー部３２でシンク３の少なくとも底部外面２１を覆って二重構造にしたので、上部カウンター２０の下面側およびシンク３の外面２４側に設けられた芯材２６や制音用発泡材１１などの構造部品や、上部カウンター２０の非仕上げ面が外部から見えることがなく、外観上の見栄えがよい。
このようにして、本発明では、カウンター部２を含めたシステムキッチン１全体の美しい外観と静音化との両立を実現することができる。
【００４０】
芯材２６や制音部材（ここでは、制音用発泡材１１や制音用シート２２）はカウンター部２の外部からは全く見えないので、芯材２６と制音部材は、その外観を気にすることなく、それぞれの機能を最も発揮するのに最適な素材や形状のものを選択し設計することが可能になる。
カウンター部２は、上下方向の厚みは薄いので二重構造であることは外観上はほとんど分からず、あたかも一枚板のような重量感と高級感を発揮している。
【００４１】
なお、本発明を、キャビネット形キッチンまたはキャビネット形システムキッチンに適用した場合には、キャビネットの引き出しまたは扉を開けたときに、カウンター部２の内部の構造部品や非仕上げ面が直接見えないので、カウンター部２自体の見栄えがよい。
【００４２】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００４３】
本発明は、本実施例のようにカウンター部がキャビネットから分離独立したシステムキッチンのほか、カウンター部がキャビネットの一部を構成するキャビネット形キッチン（または、キャビネット形システムキッチン）や、複合化されていないキッチンに適用する場合が多いが、応用例として、カウンター部を有する厨房家具としての洗面化粧台にも適用可能である。
【図面の簡単な説明】
【００４４】
【図１】図１ないし図８は本発明の実施例を示す図で、図１はシステムキッチンの斜視図である。
【図２】前記システムキッチンの正面図である。
【図３】図３（Ａ）〜（Ｃ）は、カウンター部におけるシンクまわりの断面図で、カウンター部の組立て手順を示している。
【図４】前記カウンター部を引っ繰り返した状態の分解斜視図である。
【図５】前記カウンター部に設けられるアダプタの斜視図である。
【図６】図５に示すアダプタを引っ繰り返した状態の斜視図である。
【図７】図７（Ａ）〜（Ｃ）は、前記実施例の変形例にかかるカウンター部におけるシンクまわりの断面図で、カウンター部の組立て手順を示している。
【図８】前記実施例の他の変形例を示す図で、カウンター部を引っ繰り返した状態の分解斜視図である。
【符号の説明】
【００４５】
１      システムキッチン（厨房家具）
２      カウンター部
３      シンク（水槽）
４      キャビネット
１０    アダプタ（仕切り部材）
１１    制音用発泡材
１２    注入口
２０    上部カウンター
２１    底部外面
２２    制音用シート
２４    外面
２５    下部カウンター
３２    シンクカバー部（水槽カバー部）
３７    底部
Ｓ      間隙スペース
【図１】
2006187358.tif 000003
【図２】
2006187358.tif 000004
【図３】
2006187358.tif 000005
【図４】
2006187358.tif 000006
【図５】
2006187358.tif 000007
【図６】
2006187358.tif 000008
【図７】
2006187358.tif 000009
【図８】
2006187358.tif 000010